(57)【要約】【課題】  従来の撹拌扇は、ノズルに給水を停止した場合に、ノズルの先端より水滴が、ハウスの上方より作物に滴下する。この滴下は、作物にとって大きな衝撃となる。実際のハウスでは、芽が出た作物にショックを与えることがあり、その対策が望まれている。また葉面に衝撃を与えることから、葉の損傷と、病気の発生等も報告されており、その改良が望まれている。【構成】  本発明は、吸込側と吐出側とを備えた風胴と、風胴の収歛形状の吐出側内方に設けた静翼と、静翼の中心に設けた多孔体と、風胴に設けたベルマウスと、このベルマウスの前方に設けた撹拌扇羽根と、撹拌扇羽根を保護するガ−ドと、ガ−ドと風胴とを連結するベルマウスを跨ぐ枠体と、枠体に設けた撹拌扇羽根の回転を司るモータとでなる農事用等の撹拌扇のノズル構造である。【選択図】      図５
2005308326.tif 000002
【特許請求の範囲】
【請求項１】
吸込側を備えた略円筒状を呈する風胴の吐出側内方に設けた多数の翼体を渦流形に構成した静翼と、この風胴に設けたベルマウスと、このベルマウスの前方に設けた撹拌扇羽根と、この撹拌扇羽根を保護するガ−ドと、このガ−ドと前記風胴との間に設けた当該両者を連結する前記ベルマウスを跨ぐ枠体と、この枠体に設けた前記撹拌扇羽根の回転を司るモータとで構成した農事用等の撹拌扇であって、
この撹拌扇の静翼の中心に噴霧用のノズルを設け、このノズルの近傍に水滴防止手段を設ける構成とした農事用等の撹拌扇のノズル構造。
【請求項２】
請求項１に記載の水滴防止手段は、前記ノズルを囲繞する筒状の多孔体と、この多孔体に形成した貫通孔とで構成した農事用等の撹拌扇のノズル構造。
【請求項３】
請求項２に記載の多孔体は、前記ノズルを囲繞するとともに、このノズルの先端をカバ−する構成であって、当該ノズルに取付け、取外し自在に設ける構成とした農事用等の撹拌扇のノズル構造。
【請求項４】
請求項１に記載の水滴防止手段を、前記ノズルに設けた取付け体と、この取付け体に設けた多孔体とで構成した農事用等の撹拌扇のノズル構造。
【請求項５】
請求項２〜請求項４に記載の多孔体を、スポンジ、セラミック、布、紙等の多孔質構造で、水滴を吸着可能な構成した農事用等の撹拌扇のノズル構造。
【発明の詳細な説明】
【技術分野】
【０００１】
本発明は、主としてハウス（温室、畜舎、建屋等を含む、以下、原則としてハウスとする）内外に設置される農事用等の撹拌扇のノズル構造に関する。
【背景技術】
【０００２】
従来、ハウス用の撹拌扇は、風胴（撹拌扇本体）に撹拌扇羽根（ファン）と撹拌扇羽根用のガ−ド及びモータ等の駆動源を設け、前記風胴の吐出側に設けた静翼の中心に噴霧用のノズルを設けた構成である。この種のハウス用の撹拌扇は、例えば、ハウスの横梁構成用のパイプ、又は支持部材等を利用して、このハウスの棟方向又は棟に直交する方向等に設置する。そして、この撹拌扇で生成される風を、棟方向等に向かってできるだけ遠方まで略水平方向に略均一に送風するとともに、この送風に併せてノズルより噴射する霧化蒸気（薬液）を広域的に噴霧する構成である。この送風及び／又は霧化蒸気の拡散により、ハウス内に果実、野菜、植物等の作物に風及び／又は水分の補給を図りつつ、その病害防止と生育促進、徒長防止、生育の均一化、夏場の高温障害防止等を図ること、また畜舎内の家畜等の生育、飼育環境維持、冷却効果、或いは疾病回避等を図ること等にある。
【０００３】
従来の撹拌扇では、そのノズルに給水を停止した場合には、ノズルの先端より水滴が滴下（落下）する。この水滴がハウスの上方より滴下した場合には、大きな衝撃となる。実際のハウスでは、芽が出た作物にショックを与えること、また根を洗い出し（露出し）、根を損傷又は枯らすことがあり、その対策が望まれている。また葉面に衝撃を与えることから、葉の損傷と、病気の発生等も報告されており、その改良が望まれている。
【発明の開示】
【発明が解決しようとする課題】
【０００４】
本発明は、前述の背景技術で説明した如く、水滴の滴下による種々の問題点を解決できる。また本発明では、多孔体が湿潤した場合であっても、ファンの風で、短時間に乾燥可能であり、湿潤による障害を皆無にすること、また多孔体が朽ちないこと、細菌の温床回避に役立つこと等が考えられる。さらに多孔体をノズルに着脱自在に設けることで、必要時に取付け、また必要でない時に取外しが、簡易に行えることから、大変便利であり、また重宝する。
【０００５】
尚、この多孔体付きノズルを利用することで、ハウスの省力化、省資源化、省電力化等を図ること、またハウス栽培の効率化、合理化又は採算性の向上が図れること等の特徴があり重宝する。
【課題を解決するための手段】
【０００６】
請求項１の発明は、ハウスの上方に設けた撹拌扇のノズルより滴下する水滴をなくし、この滴下に基づく弊害、例えば、大きな衝撃、芽が出た作物にショックを与えること、また根の洗い出しをなくし、根の損傷又は枯れることを回避すること、又は葉面に衝撃を与えることを回避し、葉の損傷と、病気の発生等をなくすこと等を意図する。またノズルへの虫、ごみ等の侵入防止を図り、ノズル及び／又は農事用等の撹拌扇における維持管理の容易化等を図ること、多孔体の湿潤を、ファンの風で、短時間に乾燥可能であり、湿潤による障害を皆無とすること、また多孔体が朽ちないこと、また細菌の温床回避に役立つこと等を意図する。
【０００７】
請求項１は、吸込側を備えた略円筒状を呈する風胴の吐出側内方に設けた多数の翼体を渦流形に構成した静翼と、この風胴に設けたベルマウスと、このベルマウスの前方に設けた撹拌扇羽根と、この撹拌扇羽根を保護するガ−ドと、このガ−ドと前記風胴との間に設けた当該両者を連結する前記ベルマウスを跨ぐ枠体と、この枠体に設けた前記撹拌扇羽根の回転を司るモータとで構成した農事用等の撹拌扇であって、
この撹拌扇の静翼の中心に噴霧用のノズルを設け、このノズルの近傍に水滴防止手段を設ける構成とした農事用等の撹拌扇のノズル構造である。
【０００８】
請求項２の発明は、請求項１の目的を達成すること、また水滴防止手段として低コストで実用に供する構造を提供すること等を意図する。
【０００９】
請求項２は、請求項１に記載の水滴防止手段は、前記ノズルを囲繞する筒状の多孔体と、この多孔体に形成した貫通孔とで構成した農事用等の撹拌扇のノズル構造である。
【００１０】
請求項３の発明は、請求項２の目的を達成すること、また水滴防止手段として有効であって、しかも実用に供する構造を提供すること等を意図する。
【００１１】
請求項３は、請求項２に記載の多孔体は、前記ノズルを囲繞するとともに、このノズルの先端をカバ−する構成であって、当該ノズルに取付け、取外し自在に設ける構成とした農事用等の撹拌扇のノズル構造である。
【００１２】
請求項４の発明は、請求項１の目的を達成すること、また水滴防止手段として実用に供する構造を提供すること等を意図する。
【００１３】
請求項４は、請求項１に記載の水滴防止手段を、前記ノズルに設けた取付け体と、この取付け体に設けた多孔体とで構成した農事用等の撹拌扇のノズル構造である。
【００１４】
請求項５の発明は、請求項２〜請求項４の目的を達成すること、また水滴防止手段として実用に供し得る多孔体を提供すること等を意図する。
【００１５】
請求項５は、請求項２〜請求項４に記載の多孔体を、スポンジ、セラミック、布、紙等の多孔質構造で、水滴を吸着可能に構成した農事用等の撹拌扇のノズル構造である。
【発明の効果】
【００１６】
請求項１の発明は、吸込側を備えた略円筒状を呈する風胴の吐出側内方に設けた多数の翼体を渦流形に構成した静翼と、風胴に設けたベルマウスと、ベルマウスの前方に設けた撹拌扇羽根と、撹拌扇羽根を保護するガ−ドと、ガ−ドと風胴との間に設けた両者を連結するベルマウスを跨ぐ枠体と、枠体に設けた撹拌扇羽根の回転を司るモータとで構成した農事用等の撹拌扇であって、
撹拌扇の静翼の中心に噴霧用のノズルを設け、ノズルの近傍に水滴防止手段を設ける構成とした農事用等の撹拌扇のノズル構造である。
【００１７】
従って、請求項１は、ハウスの上方に設けた撹拌扇のノズルより滴下する水滴をなくし、この滴下に基づく弊害、例えば、大きな衝撃、芽が出た作物にショックを与えること、また根を洗い出しをなくし、根の損傷又は枯れることを回避できること、又は葉面に衝撃を与えることを回避し、葉の損傷と、病気の発生等をなくし得ること等の特徴がある。またノズルへの虫、ごみ等の侵入防止を図り、ノズル及び／又は農事用等の撹拌扇における維持管理の容易化等が図れること、多孔体の湿潤を、ファンの風で、短時間に乾燥可能であり、湿潤による障害を皆無にできること、また多孔体が朽ちることをなくし得ること、また細菌の温床回避に役立つこと等の実益がある。
【００１８】
請求項２の発明は、請求項１に記載の水滴防止手段は、ノズルを囲繞する筒状の多孔体と、多孔体に形成した貫通孔とで構成した農事用等の撹拌扇のノズル構造である。
【００１９】
従って、請求項２は、請求項１の目的を達成できること、また水滴防止手段として低コストで実用に供する構造を提供できること等の特徴がある。
【００２０】
請求項３の発明は、請求項２に記載の多孔体は、ノズルを囲繞するとともに、ノズルの先端をカバ−する構成であって、ノズルに取付け、取外し自在に設ける構成とした農事用等の撹拌扇のノズル構造である。
【００２１】
従って、請求項３は、請求項２の目的を達成できること、また水滴防止手段として有効であって、しかも実用に供する構造を提供できること等の特徴がある。
【００２２】
請求項４の発明は、請求項１に記載の水滴防止手段を、ノズルに設けた取付け体と、取付け体に設けた多孔体とで構成した農事用等の撹拌扇のノズル構造である。
【００２３】
従って、請求項４は、請求項１の目的を達成できること、また水滴防止手段として実用に供する構造を提供できること等の特徴がある。
【００２４】
請求項５の発明は、請求項２〜請求項４に記載の多孔体を、スポンジ、セラミック、布、紙等の多孔質構造で、水滴を吸着可能に構成した農事用等の撹拌扇のノズル構造である。
【００２５】
従って、請求項５は、請求項２〜請求項４の目的を達成できること、また水滴防止手段として実用に供し得る多孔体を提供できること等の特徴がある。
【発明を実施するための最良の形態】
【００２６】
本発明の実施形態の一例を説明すると、この一例では、撹拌扇Ａは、吸込側１ａと吐出側１ｂとを備えた略円筒状を呈する略φ３４０〜φ３７０程度の風胴１と、風胴１の収歛形状の吐出側１ｂ内方に設けた多数の翼体を渦流形に構成した静翼２と、この静翼２の中心板部２００に設けたノズル３と、このノズル３に水を供給する給水管３００と、このノズル３及び／又は給水管３００を前記中心板部２００に取付ける取付け部３０１と、前記風胴１に設けたベルマウス４と、またこの風胴１のベルマウス４の前方に設けた撹拌扇羽根５と、この撹拌扇羽根５を保護するガ−ド６と、このガ−ド６と前記風胴１との間に設けた枠体７と、この枠体７に設けた撹拌扇羽根５の回転を司るモータ８とで構成される。
【００２７】
尚、この撹拌扇Ａは、一例であり、風胴１に取付け枠体（外郭体）を設けた例、またこの風胴１、静翼２、ガ−ド６等の形状を適宜変更した例等の如く、他の構造でも可能である。
【００２８】
そして、ノズル３は、静翼２の中心板部２００に取付ける取付け部３０１に螺着脱自在に設けられる。また取付け部３０１の基部３ｂに、給水管３００が螺着脱自在に設けられる。この螺着脱自在は一例である。
【００２９】
このノズル３の先端部３ａを形成する方形状の外郭体３ａ−１には、水滴防止手段９が着脱自在に設けられる。図１〜図５の例では、水滴防止手段９を、外郭体３ａ−１に嵌合する少なくとも六角孔を呈する凹部９００と、水の通る貫通孔９０１とを有する多孔体９０２とした構成である。そして、この例では、貫通孔９０１は、ストレートな丸孔、又は先端側が拡開した形状、また先端側が収斂した形状等の各形態を採用する。例えば、先端側が拡開した形状では、霧化したミスト（水、薬液等流体）の広域的な噴霧が図れること、先端側が収斂した形状では、給水、給液又はミストの水滴化の確実な回避が図れること、又はワンタッチでの取付け、取外しができること等の特徴がある。そして、この水滴防止手段９を、静翼２の中心板部２００に取付ける構成を採用し、撹拌扇羽根５で生成される風の送風に障害とならない構造になっている。尚、図６の例では、水滴防止手段９を、ベルト９０３と皿状の多孔体９０２ａとした構成である。そして、この例では、構造の簡略化、ノズル３の視認の容易化、又はワンタッチでの取付け、取外し等を図ることを意図する。以上の如く、水滴防止手段９は一例であり、同様な効果を発揮できる他の構造でも採用できる。尚、この水滴防止手段９は、布の吹流し構成でも可能と考えられる。この例では、簡便化、交換の容易化、ワンタッチでの取付け、取外しが可能である。
【００３０】
図中１０は枠体７に設けた支持金具で、この支持金具１０を利用してハウスＨの梁Ｈ１等に取付ける。
【００３１】
本発明の撹拌扇Ａは、モータ８の駆動で撹拌扇羽根５が回転し、この回転で風を生成する。この風は静翼２を通り、この静翼２により整流されつつ、略水平方向に向かって送風される。この送風は、風胴１で保護されながら、この風胴１から吐出されることで、この吐出風の到達距離の拡充等が図れること、或いは吐出風の広がりを抑えることで、設置場所にある障害物に風が当たって生じる到達距離の減少（風のロス・拡散）を抑制できること等の特徴がある。そして、本発明では、到達距離の拡充等を介して設置台数の減少と、この減少に伴った経費の削減、合理化等が達成される等の実益がある。また本発明は、撹拌扇Ａを、ハウスＨに採用した場合には、ハウスＨ内の作物に風を送るシステム（通風システム）に利用できるので有益である。またこの撹拌扇Ａを、ハウスＨの暖房・熱気対策に利用し、収穫の拡充と、生育の向上、病害の予防及び／又は減少等が図れる。
【００３２】
そして、給水を停止し、ノズル３の先端に形成される水滴は、水滴防止手段９に吸着されることから、従来のように滴下することは皆無である。また水滴防止手段９の湿潤は、撹拌扇羽根５で生成される風で速やかに霧化される。尚、この水滴防止手段９は、その取付け位置、寸法、形状等を考慮し、撹拌扇羽根５で生成される風を遮蔽することがない構造である。
【図面の簡単な説明】
【００３３】
【図１】本発明の撹拌扇をハウスに設置した状態の縮尺模式図
【図２】本発明の撹拌扇の正面図
【図３】本発明の撹拌扇を仰視した斜視図
【図４】本発明の撹拌扇を一部欠截した拡大側面図
【図５】本発明の水滴防止手段の一例を示した分解斜視図
【図６】本発明の水滴防止手段の他の例であって、その要部の一例を示した斜視図
【符号の説明】
【００３４】
１            風胴
１ａ          吸込側
１ｂ          吐出側
２            静翼
２００        中心板部
３            ノズル
３ａ          先端部
３ａ−１      外郭体
３ｂ          基部
３００        給水管
３０１        取付け部
４            ベルマウス
５            撹拌扇羽根
６            ガ−ド
７            枠体
８            モータ
９            水滴防止手段
９００        凹部
９０１        貫通孔
９０２        多孔体
９０２ａ      多孔体
９０３        ベルト
１０          支持金具
Ａ            撹拌扇
Ｈ            ハウス
Ｈ１          梁
【図１】
2005308326.tif 000003
【図２】
2005308326.tif 000004
【図３】
2005308326.tif 000005
【図４】
2005308326.tif 000006
【図５】
2005308326.tif 000007
【図６】
2005308326.tif 000008